(57)【要約】本発明は郵便物の運搬方法に関し、これにより、該郵便物には識別コードが割り当てられる。この方法の特徴は、郵便物は電子小包ポストの箱に配達され、該郵便物の識別番号は電子小包ポストおよび／または中央データベースに記録され蓄積されることにある。本発明は更に電子小包ポストに関係し、該電子小包ポストは、郵便物用識別コードの記録手段と、その後の、輸送データを記憶するデータ処理装置への識別コードの伝達手段とから構成される。
2006500200.tif 000002
【特許請求の範囲】
【請求項１】
識別コードが割り当てられた広告郵便物の運搬方法において、該広告郵便物は電子小包区分システムの区分に配達され、該広告郵便物の識別番号は、前記電子小包区分システムおよび／または中央データベースに記録され蓄積されることを特徴とする広告郵便物の運搬方法。
【請求項２】
前記電子小包区分システム内への広告郵便物の預け入れは、輸送データを記憶するデータ処理装置内に記録されることを特徴とする請求項１記載の方法。
【請求項３】
前記輸送データを記憶するデータ処理装置は、回収する小包のための電子通知メッセージを送信することを特徴とする請求項２記載の方法。
【請求項４】
前記通知メッセージおよび／または識別コードは、広告郵便物の輸送に関する情報を含み、該広告郵便物の輸送は、少なくとも部分的には、この情報を基にして実施されることを特徴とする請求項３記載の方法。
【請求項５】
前記電子小包区分システムの領域内で支払い検査手続きが実施され、該支払い検査手続きによって事前規定量での料金および／または料金情報の存在が確認された場合には、小包預け入れのためのアクセスおよび／または小包区分のための閉鎖機構のみが有効となることを特徴とする上記請求項のうちの一つ以上に記載の方法。
【請求項６】
前記識別コードは、料金情報を含むことを特徴とする請求項５記載の方法。
【請求項７】
前記支払いは、小包区分サイズの関数として選択されることを特徴とする請求項５または請求項６記載の方法。
【請求項８】
電子小包区分システムを使用する、広告郵便物の運搬方法において、該電子小包区分システムは、前記広告郵便物を預ける時に、広告郵便物を識別する識別情報を記録および／または生成し、該識別情報は、前記広告郵便物のその後の処理段階の間中ずっと、輸送データを記憶するデータ処理装置内にて記録および／または評価されることを特徴とする広告郵便物の運搬方法。
【請求項９】
前記識別情報は、配達人が広告郵便物を小包区分システムから取り出す時ばかりでなく、広告郵便物を預ける時にも記録されることを特徴とする請求項８記載の方法。
【請求項１０】
広告郵便物のために識別コードを記録する手段と、その後に該識別コードを、輸送データを記憶するデータ処理装置まで伝達する手段とから構成されることを特徴とする電子小包区分システム。
【請求項１１】
前記電子小包区分システムは、広告郵便物の預け入れおよび／または回収に関する情報を、輸送データを記憶するデータ処理装置まで伝達することを特徴とする請求項１０記載の電子小包区分システム。
【発明の詳細な説明】
【技術分野】
【０００１】
本発明は、郵便物の運搬方法に関する。
【背景技術】
【０００２】
この種の方法は、フランス特許出願ＦＲ２  ５６３  ９８７以来公知となっている。この先行技術の方法では、広告郵便物が電子小包区分システムまで輸送される。該広告郵便物の受取人は、電子小包区分システムにおける正規の受取人だと名乗り、それから該小包を取り出すことができる。
【発明の開示】
【発明が解決しようとする課題】
【０００３】
本発明は、前記電子小包区分システムの能力を更に活用できるように、前記先行技術の方法をより改良する目的に、その基礎を置くものである。
【課題を解決するための手段】
【０００４】
本発明によると、電子小包区分システムは、広告郵便物を預ける時に、広告郵便物を識別する識別情報を記録および／または生成し、そして、該識別情報は、広告郵便物のその後の処理段階の間中ずっと、輸送データを記憶するデータ処理コンポーネント内にて記録および／または記録・評価されることによって、この目的は達成される。
【０００５】
前記方法の発明による実施または前記電子小包区分システムの発明による構成によって、電子小包区分システムを使用し、広告郵便物を受け取り、引き続いて広告郵便物を電子小包区分システムのサービス領域外の受取人に転送することが可能となる。
【０００６】
特に、このことは、前記電子小包区分システムが、広告郵便物を受け取るばかりでなく分配するためにも使用できることを意味している。このように、例えば車両のような輸送手段での輸送空間ばかりでなく電子小包区分システムの貯蔵能力も、広告郵便物の輸送により一層効果的に活用される。
【０００７】
配達人は、一時的に置かれており物流システム内を更に輸送しようとする広告郵便物を電子小包区分システムから取り出し、それから、該広告郵便物を、電子小包区分システム領域内の電子小包区分システムの利用者が後で回収可能な電子小包区分システムの中に預けるのが望ましい。
【０００８】
本発明によって、物流システム内を更に輸送するための広告郵便物を取り出すと電子小包区分システムで利用可能な貯蔵能力が増加するという事実が利用できるだけでなく、できる限り柔軟性に富んだ区分充填も可能となるのが望ましい。
【０００９】
本発明の特に望ましい実施例の特徴は、前記識別情報は、広告郵便物を電子小包区分システムから取り出す時ばかりでなく、広告郵便物を預ける時にも記録されることにある。
【００１０】
前記電子小包区分システムの不正使用は、正しく記録された広告郵便物のみが後の運搬サイクルに転送されることによって防止される。
【００１１】
本発明の特に望ましい実施例においては、前記小包区分システムに配達される前に、全ての広告郵便物は識別コードおよび／または住所ステッカを持っている。返送郵便物の場合には、特にこのようなされている。
【００１２】
本発明の特に望ましい実施例の特徴は、識別情報の伝達にも使用できる手段と同じ手段を、広告郵便物の配達および／または回収に関するイベント情報の伝達に使用できることにある。
【発明の効果】
【００１３】
両変形例とも特有の利点を伴っている。例えば、広告郵便物の回収や配達に関する情報の共有伝送と識別情報の同時伝送とによって、広範囲における荷物の追跡ができるようになる。
【００１４】
種々の伝達手段の組み合わせによって、できる限り最も広範囲における荷物の追跡が可能となるばかりでなく、物流システムを運用する運送会社のためにできる限り最高の支払い保証も可能となる。
【００１５】
更に、この組み合わせは、例えば送料前払い小包のように既に無料送達された荷物ばかりでなく、返送郵便物にとっても適している。独自の小包切手を電子小包区分システムへの小包配達用に使用したり、フリーウェイの小包切手による現行の支払い方法を単なるサイズ毎の料金表が得られるように適合させることもできる。
【００１６】
特にこの場合は自動販売装置でのサービスは比較的迅速に完了できるので、無料送達郵便物の受け取りが優先される。顧客は前記自動販売装置中にラベルを走査させる必要があるだけである。
【００１７】
小包受取権限を有する顧客がＤｅｕｔｓｃｈｅ  Ｐｏｓｔ  Ｗｏｒｌｄ  Ｎｅｔ会社内で差出人を選択する可能性がある場合は、それは特に有利である。例えば、顧客は荷物を適切に預けた後に幾つかの配達形式の中からいずれかを選択するのが望ましい。ここでは、例えば、「通常便」と「速達便」を選択肢として使用できる。顧客が「速達便」を選択すれば、その時は、ＥＣカードまたはマネーカードによって適切な追加料を支払うように要求されるかもしれない。その際、速達便の場合の手続きは、例えば、電子小包区分システムが（荷物を配達すべき時までに荷物を回収できる場所等の）必要情報を有する通知を（ＳＭＳ（ショートメッセージサービス）または電子メールを使って）物流会社に送信する、といったものにすることができる。その結果、速達便という様式によって、荷物の迅速な回収が確実となりうるのである。
【００１８】
本発明の追加の利点、特徴、および実用的な改良点は、図面を参照しながらの、従属クレームと、望ましい実施例に関する以下の説明とにおいて見出される。
【発明を実施するための最良の形態】
【００１９】
図面の説明を以下に示す。図１は、識別コードを備えた小包の特に望ましい受取様式を有するブロック図である。図２は、特定の識別コードを備えた小包の特に望ましい受取様式を有するブロック図である。図３は、小包と包みの特に望ましい受取様式を有するブロック図である。
【００２０】
［荷物の無料送達］
無料送達荷物だけが自動販売装置で受け取られる場合は、その荷物は十分確実に無料送達しなければならない。
【００２１】
多くの差出人は返送コードを含む返送ラベルを自らの荷物に同封する。返送コードは返送分にのみ割り当てられる別々の番号の組み合わせである。返送コード用の輸送料金の請求書は、その後（すなわち受取人が荷物を差出人に返送した後に）Ｄｅｕｔｓｃｈｅ  Ｐｏｓｔによって作られる。
【００２２】
物品管理システムまたは顧客管理システムに依存している差出人は返送コードを注文に関連づけている。このことは、差出人は返送コードを知ることにより荷物や返送郵便物の考えられる内容を識別できることを意味する。
【００２３】
Ｄｅｕｔｓｃｈｅ  Ｐｏｓｔの取引上の顧客の識別コードと返送コードの番号の組み合わせは、中央データベースに記憶されている。このデータベースへのリンクによって、前記識別コードまたは返送コードを確認できる。もし返送コードが前記システムに認知されていれば、該返送コードを差出人に容易に転送できる。従って、例えば「返送通知」の追加サービスを差出人に提供できるのである。
【００２４】
［小包の配送］
ａ）電子小包区分システムの変形例
前記荷物は識別コードを備える必要がある。該識別コードは、自動販売装置内で走査され、検査数字ロジックに基づいて確認される。識別コードが正しければ前記荷物を受け取ることができる。そして、走査されたコードが正しくないかあるいは識別コードでないならば、その時は荷物の配置が拒絶される。
【００２５】
本発明の特に望ましい実施例においては、識別コードばかりでなく、荷物に適用される宛先コード（Ｌｅｉｔｃｏｄｅ）も確認される。ここで、該宛先コードは、検査数字、ハッシュ値の番号のため、及び宛先コードの一部を構成する特定の返送品コードのために確認されるのが望ましい。これによって、返送荷物を確認する場合の安全性が増加し、そして、顧客には例えば返送ステッカー上の両バーコードを走査することを要求される。
【００２６】
ｂ）新しい小包切手
小包受取のために考えられる更なる改良点とは、電子小包区分システムによって確認可能な一定の識別コードと宛先コード（または返送コード）を備えた荷物を受け取ることである。例えば、フリーウェイの切手に似せて小包区分システム切手が設けられており、該小包区分システム切手では、もはやサイズや重さの関数として料金が計算されるのではなく、全小包に対して単一料金または区分サイズに基づく料金表による料金となっている。
【００２７】
各フリーウェイの切手は識別コードを含んでいる。各ラベル（Ｓ、Ｍ、Ｌ、ＸＬ、Ｆ）用に使用される番号の組み合わせは、区分（Ｓ、Ｍ、Ｌ、ＸＬ、Ｆ）のサイズと直接関係している。このフリーウェイの切手Ｓ相当の小包切手の識別コードが走査されると、小（Ｓ）区分のみが開かれる。全ての小（Ｓ）区分がふさがっていれば、その時は次に大きい区分が必要に応じて開かれる。
【００２８】
［識別コードを備えた小包の受け取り］
識別コードを備えた小包の特に望ましい受取様式を描いたブロック図を図１に示す。小包すなわち素性の確認が必要とされる荷物だけが、前記電子小包区分システムによって受け取られる。この区分を開くには正しい識別コードと宛先コードが必要である。
【００２９】
［特に望ましい実施例］ 
・ＩＤＣ検査のためのロジック。
・製品検査を含む宛先コード確認のためのロジック。
・顧客のために信頼性がありしかも簡単な、自動販売装置における走査処理構成。
・簡単、自明、または直感的な装置操作。
【００３０】
［シーケンス］ 
１．顧客によってログイン手続きがうまく完了する。
２．利用者は、（利用者が自動販売装置に小包を有する場合にのみ現れる）「小包の取り出し」と、（区分があいており、しかも利用者が小包を預ける許可が与えられている場合にのみ現れる）「小包の預け入れ」のいずれかをメニューで選択する。
３．利用者は、「小包の預け入れ」を選択すると荷物の２つのバーコード（識別コードと宛先コード）で走査するように促される。（走査が失敗の場合には手動入力が可能な方が望ましい）
４．両コード（識別コードと宛先コード）は検査数字を基にして確認される。
５．前記コードが正しければ、利用者は配達の種類について任意に尋ねられる。
６．利用者は、区分サイズを選択するように促される。
７．該サイズを選択後、適切な区分が開かれる。
８．利用者は小包を預けて扉を閉める。
９．自動販売装置によって、領収書（情報：郵便番号、電子小包区分システム、日付と時刻、ＩＤＣ、区分番号、物流提供者）が印刷される。
１０．利用者は領収書を取り出す。
１１．小包データ（９を見よ）がＰｏｓｔ２４システムに転送される。当てはまれば、そこから物流提供者の情報を引き出すことができる。
【００３１】
［識別コードを備えた小包の受け取り］
［危険性］
・荷物が不適切に無料送達されるかもしれない。
・荷物が間違って宛名書きされるかもしれない。
・走査コード（識別コードと宛先コード）から期待されるものとは異なる荷物が預けられるかもしれない（例えば、ＩＤＣを備えていない荷物）
・最終顧客はスキャナ操作が得意でないかもしれない。
【００３２】
［電子小包区分システムのための種々の実施例］
ＤＰＷＮ顧客モデルに加えて他の実施例も考えることができる。このＤＰＷＮの実施例においては、受取人を識別する必要がある。Ｄｅｕｔｃｈｅ  Ｐｏｓｔは、一定期間にわたって、荷物が与えられることを（素性の確認が必要な荷物についてのみ）実証できるようにしなければならない。
【００３３】
［要件］
［ＤＰＷＮ顧客モデル］
これは、電子小包区分システムにおける顧客特有の物品預け入れと物品回収とのための現存概念である。
【００３４】
ここでは、各小包の領収書の明確な識別が重要である。小包を回収可能な各利用者は登録されている必要がある。このために、郵便の宛先は宛先検査によって正しいことが確認され、顧客の素性は書留郵便で受けたＰｏｓｔＰＩＮ（郵便暗証番号）に基づいて正しいことが確認される。このようにして、全ての顧客データが正しいことが確認される。確認できない顧客は受け入れられない。
【００３５】
荷物は（認知され登録された）受取人のためだけに預けられる。
【００３６】
荷物を預ける際に郵便番号を表示することは、これによって通知を受取人に送信できるので配達人にとって特に有利である。
【００３７】
自動販売装置においては、利用者は郵便番号とＰＩＮとによって自身の素性を明らかにする。これにより、電子小包区分システムは各小包を回収した者が誰かを認知する。
【００３８】
［必要条件］
・宛先が確認されること。
・顧客の素性が正しいか確認されること。
・顧客が登録されること。
・荷物が郵便番号の顧客宛てに出されること。
・荷物が自動販売装置中に正しく預けられたこと。
・電子小包区分システムへの顧客ログインがうまく完了すること。
【００３９】
［シーケンス］
１．宛先には、受取人の郵便番号を含んでいる。
２．配達人が、郵便番号を表示した荷物を預ける。
３．受取人の素性を基にして、通知が開始される。
４．顧客は、自身の郵便番号（ゴールドカード）を有する自動販売装置にログインする。
５．顧客は、ＰｏｓｔＰＩＮを入力することによって自身の素性を明らかにする。
６．郵便番号／ＰｏｓｔＰＩＮの組み合わせの確認が成功すると、顧客は前記電子小包区分システムを使用できる。そして、該組み合わせが正しくなければ、顧客のアクセスは拒絶される。
【図面の簡単な説明】
【００４０】
【図１】識別コードを備えた小包の特に望ましい受取様式を有するブロック図である。
【図２】特定の識別コードを備えた小包の特に望ましい受取様式を有するブロック図である。
【図３】小包と包みの特に望ましい受取様式を有するブロック図である。
【図１】
2006500200.tif 000003
【図２】
2006500200.tif 000004
【図３】
2006500200.tif 000005
【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
電子小包区分システムを使用する、広告郵便物の運搬方法であって、
電子小包区分システムは、前記広告郵便物を預ける時に、広告郵便物を識別する識別情報を記録および／または生成し、
該識別情報は、前記広告郵便物のその後の処理段階の間中ずっと、輸送データを記憶するデータ処理装置内にて記録および／または評価されると共に、電子小包区分システム内および／または中央データ処理装置内にて記憶される、広告郵便物の運搬方法において、
該識別情報は料金情報を含み、
前記電子小包区分システムの領域内で支払い検査手続きが実施され、
該支払い検査手続きによって事前規定量での料金および／または料金情報の存在が確認された場合には、広告郵便物預け入れのためのアクセスのみが有効となり、
これにより、開かれる区分のサイズは記録された識別情報の番号の組み合わせと直接関係し、適切なサイズの区分が一定の料金クラスの番号の組み合わせに対して開かれることを特徴とする広告郵便物の運搬方法。
【請求項２】
前記電子小包区分システム内への広告郵便物の預け入れは、輸送データを記憶するデータ処理装置内に記録されることを特徴とする請求項１記載の方法。
【請求項３】
前記輸送データを記憶するデータ処理装置は、小包を回収するための電子通知メッセージを送信することを特徴とする請求項１または請求項２記載の方法。
【請求項４】
前記通知メッセージおよび／または識別情報は、広告郵便物の輸送に関する情報を含み、
該広告郵便物の輸送は、少なくとも部分的には、この情報を基にして実施されることを特徴とする上記請求項のうちの一つ以上に記載の方法。
【請求項５】
前記識別コードは、配達人が広告郵便物を小包区分システムから取り出す時ばかりでなく、広告郵便物を預ける時にも記録されることを特徴とする上記請求項のうちの一つ以上に記載の方法。
【手続補正２】
【補正対象書類名】明細書
【補正対象項目名】全文
【補正方法】変更
【補正の内容】
【書類名】明細書
【技術分野】
【０００１】
本発明は、電子小包区分システムを使用する、郵便物の運搬方法に関するものであり、該電子小包区分システムは、広告郵便物を預ける時に、広告郵便物を識別する識別情報を記録および／または生成する。そして、該識別情報は、広告郵便物のその後の処理段階の間中ずっと、輸送データを記憶するデータ処理装置内にて記録および／または評価され、そして、電子小包区分システム内および／または中央データ処理装置内に記憶される。
【背景技術】
【０００２】
この種の方法は、フランス特許出願ＦＲ２  ５６３  ９８７以来公知となっている。この先行技術の方法では、広告郵便物が電子小包区分システムまで輸送される。該広告郵便物の受取人は、電子小包区分システムにおける正規の受取人だと名乗り、それから該小包を取り出すことができる。
また、国際特許出願ＷＯ  ０１／３１５９３  Ａ１には、注文された荷物を配達するためのロッカーシステムが開示されており、該ロッカーシステムにおいては、荷物は識別コードで識別される。荷物を受取人が回収する時は、該受取人は識別され、そして、該荷物の料金支払いは前記区分システムにおいて実施または開始することができる。荷物の配達に加え、最初の受取人は荷物の返送にも前記区分システムを使用できる。ここで、このような返送分を預ける時は、荷物に割り当てられた識別証明を同様に記録すると共に、最初の受取人には発注製品の原購入価格で掛け売りをするのが望ましい。
国際特許出願ＷＯ  ０１／０００６９  Ａ２には、受取人のために荷物を預けることができる郵便ポストが開示されている。該郵便ポストは、当該受取人のものであるのか、そうでなければ受取人が一定期間賃借りできるのが望ましい。なお、幾つかの荷物をポストに引き続き預けることもできる。この郵便ポストを開く許可を与えるための検査手続きには、配達人または受取人の識別検査が含められるばかりでなく、例えばポスト中に既に高価な物があればアクセスを拒むこともできる。該郵便ポストは、所有者が配達サービスによる回収と配達のために荷物を預けるのにも適している。ここで、該所有者は、荷物を郵便ポスト内に置いて、輸送に請求される料金の計算値を入力し、その後、その金額を自身の口座の借り方に記入する。また、本発明に開示された他の実施例においては、配達人は、荷物を取り出し、必要な輸送料金を決め、必要ならば荷物を無料送達し、そして、該輸送料金を所有者の口座の借り方に記入始める。
国際特許出願ＷＯ  ０１／５２１９９  Ａ２にも同様に、許可された受取人が荷物を預けて回収するための電子区分システムが開示されている。荷物を受取人が回収する時には、受取人の識別証明が確認され、そして、該当すれば荷物の料金支払いは前記区分システムにおいて実施することができる。この支払いは例えば金を自動販売装置中に直接入れることによって行うことができ、そうでなければ、支払い額を利用者の口座の借り方に記入することができ、そして、この支払い金額は区分サイズおよび／またはレンタル期間に依存しうる。前記区分システムは受取人が荷物を返送できるようにすることも可能である。この場合、最初の受取人は荷物を区分内に配置し、そして配達人には荷物を回収のために預けたことが通知される。
国際特許出願ＷＯ  ０１／１４１６０５  Ａ３には、例えば荷物を受け取るための装置が説明されており、該装置は装置所有者の領域内にあるのが望ましい。この装置には、例えば従来の郵便ポストのスリットから挿入できる手紙のような、小さな郵便物を預けるための閉領域が備わっている。補足すると、この装置には、許可された人が小包のようなもっと大きな荷物を預けたり取り出すことができる第２の閉領域が備わっている。
更に、ドイツ予備公開出願Ｎｏ．ＤＥ  １００  ３３  ６６４  Ａ１には、受取人不在の時に注文された物品を配達するための装置と方法とが開示されている。ここでは、物品注文時には、配達人は自身に貯蔵装置を開く許可を与える識別キーを受け取るのが望ましい。このアクセスキーは使用後には無効となり、従って一度しか使えないのが望ましい。
【発明の開示】
【発明が解決しようとする課題】
【０００３】
本発明は、前記電子小包区分システムの能力を更に活用できるように、前記先行技術の方法と装置をより改良する目的に、その基礎を置くものであり、従って、この電子小包区分システムは、広告郵便物を受け取り、その後、該広告郵便物を電子小包区分システムのサービス領域外の受取人に転送するのに使用することができる。
【課題を解決するための手段】  
【０００４】
本発明によると、該目的は独立請求項１に係わる方法によって達成することができる。本発明の実用上の改良点は従属請求項２乃至７に見出されるのである。
本発明によると、電子小包区分システムは、広告郵便物を預ける時に、広告郵便物を識別する識別情報を記録および／または生成し、そして、該識別情報は、広告郵便物のその後の処理段階の間中ずっと、輸送データを記憶するデータ処理コンポーネント内にて記録および／または記録・評価される。
【０００５】
前記方法の発明による実施または前記電子小包区分システムの発明による構成によって、電子小包区分システムを使用し、広告郵便物を受け取り、引き続いて広告郵便物を電子小包区分システムのサービス領域外の受取人に転送することが可能となる。
【０００６】
特に、このことは、前記電子小包区分システムが、広告郵便物を受け取るばかりでなく分配するためにも使用できることを意味している。このように、例えば車両のような輸送手段での輸送空間ばかりでなく電子小包区分システムの貯蔵能力も、広告郵便物の輸送により一層効果的に活用される。
【０００７】
配達人は、一時的に置かれており物流システム内を更に輸送しようとする広告郵便物を電子小包区分システムから取り出し、それから、該広告郵便物を、電子小包区分システム領域内の電子小包区分システムの利用者が後で回収可能な電子小包区分システムの中に預けるのが望ましい。
【０００８】
本発明によって、物流システム内を更に輸送するための広告郵便物を取り出すと電子小包区分システムで利用可能な貯蔵能力が増加するという事実が利用できるだけでなく、できる限り柔軟性に富んだ区分充填も可能となるのが望ましい。
【０００９】
本発明の特に望ましい実施例の特徴は、前記識別情報は、広告郵便物を電子小包区分システムから取り出す時ばかりでなく、広告郵便物を預ける時にも記録されることにある。
【００１０】
前記電子小包区分システムの不正使用は、正しく記録された広告郵便物のみが後の運搬サイクルに転送されることによって防止される。
【００１１】
本発明の特に望ましい実施例においては、前記小包区分システムに配達される前に、全ての広告郵便物は識別コードおよび／または住所ステッカを持っている。返送郵便物の場合には、特にこのようなされている。
【００１２】
本発明の特に望ましい実施例の特徴は、識別情報の伝達にも使用できる手段と同じ手段を、広告郵便物の配達および／または回収に関するイベント情報の伝達に使用できることにある。
【発明の効果】
【００１３】
両変形例とも特有の利点を伴っている。例えば、広告郵便物の回収や配達に関する情報の共有伝送と識別情報の同時伝送とによって、広範囲における荷物の追跡ができるようになる。
【００１４】
種々の伝達手段の組み合わせによって、できる限り最も広範囲における荷物の追跡が可能となるばかりでなく、物流システムを運用する運送会社のためにできる限り最高の支払い保証も可能となる。
【００１５】
更に、この組み合わせは、例えば送料前払い小包のように既に無料送達された荷物ばかりでなく、返送郵便物にとっても適している。独自の小包切手を電子小包区分システムへの小包配達用に使用したり、フリーウェイの小包切手による現行の支払い方法を単なるサイズ毎の料金表が得られるように適合させることもできる。
【００１６】
特にこの場合は自動販売装置でのサービスは比較的迅速に完了できるので、無料送達郵便物の受け取りが優先される。顧客は前記自動販売装置中にラベルを走査させる必要があるだけである。
【００１７】
小包受取権限を有する顧客がＤｅｕｔｓｃｈｅ  Ｐｏｓｔ  Ｗｏｒｌｄ  Ｎｅｔ会社内で差出人を選択する可能性がある場合は、それは特に有利である。例えば、顧客は荷物を適切に預けた後に幾つかの配達形式の中からいずれかを選択するのが望ましい。ここでは、例えば、「通常便」と「速達便」を選択肢として使用できる。顧客が「速達便」を選択すれば、その時は、ＥＣカードまたはマネーカードによって適切な追加料を支払うように要求されるかもしれない。その際、速達便の場合の手続きは、例えば、電子小包区分システムが（荷物を配達すべき時までに荷物を回収できる場所等の）必要情報を有する通知を（ＳＭＳ（ショートメッセージサービス）または電子メールを使って）物流会社に送信する、といったものにすることができる。その結果、速達便という様式によって、荷物の迅速な回収が確実となりうるのである。
【発明を実施するための最良の形態】
【００１８】
本発明の追加の利点、特徴、および実用的な改良点は、図面を参照しながらの、従属クレームと、望ましい実施例に関する以下の説明とにおいて見出される。
【発明を実施するための最良の形態】
【００１９】
図面の説明を以下に示す。図１は、識別コードを備えた小包の特に望ましい受取様式を有するブロック図である。図２は、特定の識別コードを備えた小包の特に望ましい受取様式を有するブロック図である。図３は、小包と包みの特に望ましい受取様式を有するブロック図である。
【００２０】
［荷物の無料送達］
無料送達荷物だけが自動販売装置で受け取られる場合は、その荷物は十分確実に無料送達しなければならない。
【００２１】
多くの差出人は返送コードを含む返送ラベルを自らの荷物に同封する。返送コードは返送分にのみ割り当てられる別々の番号の組み合わせである。返送コード用の輸送料金の請求書は、その後（すなわち受取人が荷物を差出人に返送した後に）Ｄｅｕｔｓｃｈｅ  Ｐｏｓｔによって作られる。
【００２２】
物品管理システムまたは顧客管理システムに依存している差出人は返送コードを注文に関連づけている。このことは、差出人は返送コードを知ることにより荷物や返送郵便物の考えられる内容を識別できることを意味する。
【００２３】
Ｄｅｕｔｓｃｈｅ  Ｐｏｓｔの取引上の顧客の識別コードと返送コードの番号の組み合わせは、中央データベースに記憶されている。このデータベースへのリンクによって、前記識別コードまたは返送コードを確認できる。もし返送コードが前記システムに認知されていれば、該返送コードを差出人に容易に転送できる。従って、例えば「返送通知」の追加サービスを差出人に提供できるのである。
【００２４】
［小包の配送］
ａ）電子小包区分システムの変形例
前記荷物は識別コードを備える必要がある。該識別コードは、自動販売装置内で走査され、検査数字ロジックに基づいて確認される。識別コードが正しければ前記荷物を受け取ることができる。そして、走査されたコードが正しくないかあるいは識別コードでないならば、その時は荷物の配置が拒絶される。
【００２５】
本発明の特に望ましい実施例においては、識別コードばかりでなく、荷物に適用される宛先コード（Ｌｅｉｔｃｏｄｅ）も確認される。ここで、該宛先コードは、検査数字、ハッシュ値の番号のため、及び宛先コードの一部を構成する特定の返送品コードのために確認されるのが望ましい。これによって、返送荷物を確認する場合の安全性が増加し、そして、顧客には例えば返送ステッカー上の両バーコードを走査することを要求される。
【００２６】
ｂ）新しい小包切手
小包受取のために考えられる更なる改良点とは、電子小包区分システムによって確認可能な一定の識別コードと宛先コード（または返送コード）を備えた荷物を受け取ることである。例えば、フリーウェイの切手に似せて小包区分システム切手が設けられており、該小包区分システム切手では、もはやサイズや重さの関数として料金が計算されるのではなく、全小包に対して単一料金または区分サイズに基づく料金表による料金となっている。
【００２７】
各フリーウェイの切手は識別コードを含んでいる。各ラベル（Ｓ、Ｍ、Ｌ、ＸＬ、Ｆ）用に使用される番号の組み合わせは、区分（Ｓ、Ｍ、Ｌ、ＸＬ、Ｆ）のサイズと直接関係している。このフリーウェイの切手Ｓ相当の小包切手の識別コードが走査されると、小（Ｓ）区分のみが開かれる。全ての小（Ｓ）区分がふさがっていれば、その時は次に大きい区分が必要に応じて開かれる。
【００２８】
［識別コードを備えた小包の受け取り］
識別コードを備えた小包の特に望ましい受取様式を描いたブロック図を図１に示す。小包すなわち素性の確認が必要とされる荷物だけが、前記電子小包区分システムによって受け取られる。この区分を開くには正しい識別コードと宛先コードが必要である。
【００２９】
［特に望ましい実施例］ 
・ＩＤＣ検査のためのロジック。
・製品検査を含む宛先コード確認のためのロジック。
・顧客のために信頼性がありしかも簡単な、自動販売装置における走査処理構成。
・簡単、自明、または直感的な装置操作。
【００３０】
［シーケンス］ 
１．顧客によってログイン手続きがうまく完了する。
２．利用者は、（利用者が自動販売装置に小包を有する場合にのみ現れる）「小包の取り出し」と、（区分があいており、しかも利用者が小包を預ける許可が与えられている場合にのみ現れる）「小包の預け入れ」のいずれかをメニューで選択する。
３．利用者は、「小包の預け入れ」を選択すると荷物の２つのバーコード（識別コードと宛先コード）で走査するように促される。（走査が失敗の場合には手動入力が可能な方が望ましい）
４．両コード（識別コードと宛先コード）は検査数字を基にして確認される。
５．前記コードが正しければ、利用者は配達の種類について任意に尋ねられる。
６．利用者は、区分サイズを選択するように促される。
７．該サイズを選択後、適切な区分が開かれる。
８．利用者は小包を預けて扉を閉める。
９．自動販売装置によって、領収書（情報：郵便番号、電子小包区分システム、日付と時刻、ＩＤＣ、区分番号、物流提供者）が印刷される。
１０．利用者は領収書を取り出す。
１１．小包データ（９を見よ）がＰｏｓｔ２４システムに転送される。当てはまれば、そこから物流提供者の情報を引き出すことができる。
【００３１】
［識別コードを備えた小包の受け取り］
［危険性］
・荷物が不適切に無料送達されるかもしれない。
・荷物が間違って宛名書きされるかもしれない。
・走査コード（識別コードと宛先コード）から期待されるものとは異なる荷物が預けられるかもしれない（例えば、ＩＤＣを備えていない荷物）
・最終顧客はスキャナ操作が得意でないかもしれない。
【００３２】
［電子小包区分システムのための種々の実施例］
ＤＰＷＮ顧客モデルに加えて他の実施例も考えることができる。このＤＰＷＮの実施例においては、受取人を識別する必要がある。Ｄｅｕｔｃｈｅ  Ｐｏｓｔは、一定期間にわたって、荷物が与えられることを（素性の確認が必要な荷物についてのみ）実証できるようにしなければならない。
【００３３】
［要件］
［ＤＰＷＮ顧客モデル］
これは、電子小包区分システムにおける顧客特有の物品預け入れと物品回収とのための現存概念である。
【００３４】
ここでは、各小包の領収書の明確な識別が重要である。小包を回収可能な各利用者は登録されている必要がある。このために、郵便の宛先は宛先検査によって正しいことが確認され、顧客の素性は書留郵便で受けたＰｏｓｔＰＩＮ（郵便暗証番号）に基づいて正しいことが確認される。このようにして、全ての顧客データが正しいことが確認される。確認できない顧客は受け入れられない。
【００３５】
荷物は（認知され登録された）受取人のためだけに預けられる。
【００３６】
荷物を預ける際に郵便番号を表示することは、これによって通知を受取人に送信できるので配達人にとって特に有利である。
【００３７】
自動販売装置においては、利用者は郵便番号とＰＩＮとによって自身の素性を明らかにする。これにより、電子小包区分システムは各小包を回収した者が誰かを認知する。
【００３８】
［必要条件］
・宛先が確認されること。
・顧客の素性が正しいか確認されること。
・顧客が登録されること。
・荷物が郵便番号の顧客宛てに出されること。
・荷物が自動販売装置中に正しく預けられたこと。
・電子小包区分システムへの顧客ログインがうまく完了すること。
【００３９】
［シーケンス］
１．宛先には、受取人の郵便番号を含んでいる。
２．配達人が、郵便番号を表示した荷物を預ける。
３．受取人の素性を基にして、通知が開始される。
４．顧客は、自身の郵便番号（ゴールドカード）を有する自動販売装置にログインする。
５．顧客は、ＰｏｓｔＰＩＮを入力することによって自身の素性を明らかにする。
６．郵便番号／ＰｏｓｔＰＩＮの組み合わせの確認が成功すると、顧客は前記電子小包区分システムを使用できる。そして、該組み合わせが正しくなければ、顧客のアクセスは拒絶される。
【図面の簡単な説明】
【００４０】
【図１】識別コードを備えた小包の特に望ましい受取様式を有するブロック図である。
【図２】特定の識別コードを備えた小包の特に望ましい受取様式を有するブロック図である。
【図３】小包と包みの特に望ましい受取様式を有するブロック図である。


【国際調査報告】
2006500200.tif 000006
2006500200.tif 000007
2006500200.tif 000008
2006500200.tif 000009
2006500200.tif 000010
2006500200.tif 000011